(57)【要約】      （修正有）【課題】構造が単純で製造コストが低く、緩衝機能を担うバネの交換が容易な移動対象物に衝撃が加わらない緩衝機能を有するキャスターを提供する。【解決手段】キャスターは、裏面側から下方に向かって間隔をあけて、先端側に雄ネジ部が形成されている複数のガイド用ロッド１３が垂設されていると共に、ガイド用ロッドの外周には、それより丈の短いコイルバネ１５が同軸上に被せられている天板３と、ガイド孔１２が形成され、ガイド孔にガイド用ロッド１３が滑動自在に挿通されていると共に、ガイド孔から突出したガイド用ロッド先端の雄ネジ部にナットが螺合され、コイルバネによって天板から離隔した状態で弾性的に保持されている台座１と、フォーク４の基部が台座の裏側中央に取り付けられているキャスター本体１とからなる。【選択図】図１
0003205906.tif 000002
【実用新案登録請求の範囲】
【請求項１】
板状をなし、その裏面側の周縁内側部分から、下方に向かって間隔をあけて、先端側に雄ネジ部が形成されている円柱状をなした複数のガイド用ロッドが垂設されていると共に、このガイド用ロッドの外周には、それより丈の短い円筒状に回巻せしめられたコイルバネが同軸状に被せられている天板；
前記ガイド用ロッドより径が大きいガイド孔が形成されており、該ガイド孔に前記ガイド用ロッドが滑動自在に挿通されていると共に、ガイド孔から突出したガイド用ロッド先端の雄ネジ部にナットが螺合され、前記コイルバネによって天板から離隔した状態で弾性的に保持されている板状をなした台座；
一対のフォークの下部に車輪が軸支され、フォークの上端はフォーク基部によって連結されており、該フォーク基部が前記台座の裏側中央に取り付けられているキャスター本体；
とからなることを特徴とする緩衝機能を有するキャスター。
【考案の詳細な説明】
【技術分野】
【０００１】
この考案は様々な物品に装着し、その物品の移動の便に供するキャスターに関する。
【背景技術】
【０００２】
台車、棚、家具、椅子など、各種移動対象物の下部に装着し、車輪の転動作用によって、その物品の移動を容易にするキャスターは各種製品の製造現場はもちろん、各種事業所や日常生活の場においても広く用いられている。
【先行技術文献】
【特許文献】
【０００３】
【特許文献１】特開２０１０−２０８５７５
【特許文献２】特開２００９−１５４６３５
【非特許文献】
【０００４】
【非特許文献１】なし
【考案の概要】
【考案が解決しようとする課題】
【０００５】
一般的に、キャスターは一対のフォークとフォークの下端に軸支された車輪とからなり、フォークの基部が移動させたい物品の下面に取り付けられる様になっている。キャスターの車輪は小径で弾性が低いものが多く、キャスターを装着した移動対象物を移動させる際、移動経路上に段差や凹凸があると、この凹凸を乗り越えるとき移動対象物に大きな衝撃が加わることがあった。
【０００６】
衝撃に強い物品なら問題ないが、精密部品など、衝撃に脆弱な各種物品を移動させる際には、衝撃によって物品が破損することがあるので、衝撃の防止は避けて通れない問題があり、従来よりキャスターに緩衝機能を持たせる試みは多くなされていた。
【０００７】
前記特許文献１及び２に示す様に、緩衝機能を持ったキャスターは従来から存在しているが、いずれも複雑な構造をしており、耐久性において問題があり、コスト的にも高くならざるを得なかった。又、緩衝機能を持たせる為のバネは、簡単に取り代えることは出来ず、状況に応じてその弾性係数を変え、バネの働きを軟らかくしたり、硬くしたりすることなどほとんど不可能であり、弾性係数の変更にはバネが組み込まれているキャスター全体を変えなければならず、使い勝手においても問題があった。
【０００８】
本考案者は、上記欠点を克服した緩衝機能を有するキャスターを実現すべく、鋭意研究を行った結果、新しい緩衝機能を有するキャスターを開発することに成功し、本考案としてここに提案するものである。
【課題を解決するための手段】
【０００９】
板状をなし、その裏面側の周縁内側部分から、下方に向かって間隔をあけて、先端側に雄ネジ部が形成されている円柱状をなした複数のガイド用ロッドが垂設されていると共に、このガイド用ロッドの外周には、それより丈の短い円筒状に回巻せしめられたコイルバネが同軸状に被せられている天板；前記ガイド用ロッドより径が大きいガイド孔が形成されており、該ガイド孔に前記ガイド用ロッドが滑動自在に挿通されていると共に、ガイド孔から突出したガイド用ロッド先端の雄ネジ部にナットが螺合され、前記コイルバネによって天板から離隔した状態で弾性的に保持されている板状をなした台座；一対のフォークの下部に車輪が軸支され、フォークの上端はフォーク基部によって連結されており、該フォーク基部が前記台座の裏側中央に取り付けられているキャスター本体；とから緩衝機能を有するキャスターを構成することにより、上記課題を解決した。
【考案の効果】
【００１０】
天板の上面を移動対象物の下面に固定して使用に供するものであり、移動対象物は天板と台座との間に介装されたコイルバネによって弾性的に保持される。
【００１１】
従って、移動経路上に段差や凹凸があり、キャスター本体の車輪が大きく上下動したとしても、その振動はコイルバネによって吸収され、天板に接した移動対象物へ加わる振動は大幅に低下する。
【００１２】
又、コイルバネはガイド用ロッドの先端の雄ネジ部にナットを螺合させることにより台座と天板との間に介装されているだけなので、雄ネジ部からナットをはずすことにより、コイルバネを容易に取り替えることが出来、使用開始後であっても必要に応じて弾性係数の異なるコイルバネに変更可能で、状況に応じて肌理の細かい運用が可能となる。
【００１３】
更に、キャスター本体は従来の市販品をそのまま用いることが出来るので、従来の緩衝機能を有するキャスターに比べ製造コストははるかに低く、多くのユーザーに安価で提供出来る効果も有する。
【図面の簡単な説明】
【００１４】
【図１】この考案に係る 緩衝機能を有するキャスターの一実施例の各構成部分を分離して描いた斜視図。
【図２】同じく、その縦断面図。
【図３】同じく、キャスター本体１が台座２に対して回動自在になっている他の実施例の縦断面図。
【考案を実施するための形態】
【００１５】
キャスター本体を取り付け台座を複数のコイルバネを介して天板から離隔した状態で弾性的に保持させた点に最大の特徴が存する。
【実施例】
【００１６】
この考案に係る緩衝機能を有するキャスターは、キャスター本体１、キャスター本体１が取り付けられる台座２，台座２を弾性的に保持する天板３とから構成されている。
【００１７】
キャスター本体１は、図１に示す様に、基部２の両端から一対のフォーク４，４が平行に延設され、その下部に軸架された車軸６によって車輪５が軸支されたものであり、市販されている一般的な普通のキャスターと全く同じである。
【００１８】
一方、台座２は、矩形をなした板状であり、その中央にはキャスター本体１の基部７が取り付けられている。
【００１９】
なお、この実施例においては、キャスター本体１の車軸５は、台座２に対する相対角度が固定されており、車輪５の走行方向は台座２に対して一定であるが、図３に示すものの様に、台座２の表裏を貫く枢支軸９によって、ベアリング１０を介して基部７を台座２に対して回動自在に担持せしめる様にしても良く、その場合は車輪５の走行方向は台座２に対して自由となる。
【００２０】
そして、この台座２の隅角部１１の内側にはその表裏を貫いてガイド孔１２が４個形成されている。
【００２１】
更に、天板３はその縦横の寸法が台座２より大きい、台座２とほぼ相似形をなしており、台座２と中央部分を一致させて重畳した場合、周縁内側にはみ出し部分が形成される大きさとなっている。そして、この天板３には台座２と同じ間隔で、前記台座２のガイド孔１２に挿通可能滑動自在な径を有する円柱状をなしたガイド用ロッド１３が４本植設されており、その先端には雄ネジ部１４が形成されている。
【００２２】
更に、このガイド用ロッド１３の外周にはそれより丈の短い円筒状のコイルバネ１５が被せられており、台座２の裏面側からガイド孔１２にそれぞれ対応するガイド用ロッド１３が挿入され、台座２の裏面側がコイルバネ１５の端面に当接した状態で、台座２の表面側に突出したガイド用ロッド１３の先端に形成されている雄ネジ部１４に座金１８を介してナット１６を螺合することにより、台座２はコイルバネ１５で弾性的に保持され、離隔した状態で天板３に取り付けられている。
【００２３】
更に、天板３の周縁からが垂れ板１７が台座２の方向に向って垂設されており、ガイド用ロッド１３及びコイルバネ１５を外側から覆っている。なお、この実施例においては天板３と垂れ板１７とは一体化されているが、別体のものであっても良く、又、この垂れ板１７を省略しても良い。
【００２４】
この実施例は上記の通りの構成を有するものであり、天板３の上面を移動対象物の下面に固定して使用に供するものであり、移動対象物は天板３と台座２との間に介装されたコイルバネ１５によって弾性的に保持される。
【００２５】
従って、移動経路上に段差や凹凸があり、キャスター本体１の車輪５が大きく上下動したとしても、その振動はコイルバネ１５によって吸収され、天板３に接した移動対象物へ加わる振動は大幅に低下する。
【００２６】
又、コイルバネ１５はガイド用ロッド１３の先端の雄ネジ部１４にナット１６を螺合させることにより、台座２と天板３との間に介装されているだけなので、雄ネジ部１４からナット１６をはずすことにより、容易に取り替えることが出来、使用開始後であっても必要に応じて弾性係数の異なるコイルバネ１５に変更可能で、状況に応じた肌理の細かい運用が可能となる。
【００２７】
更に、キャスター本体１は従来の市販品をそのまま用いることが出来るので、従来の緩衝機能を有するキャスターに比べ製造コストははるかに低く、多くの
ユーザーに安価で提供出来る。
【産業上の利用可能性】
【００２８】
精密部品の製造現場や部品倉庫など各種事業所だけではなく、一般家庭など生活の場においても大いに利用価値がある。
【符号の説明】
【００２９】
１．キャスター本体
２．台座
３．天板
４．フォーク
５．車輪
６．車軸
７．基部
８．ボルト
９．枢支軸
１０．ベアリング
１１．隅角部
１２．ガイド孔
１３．ガイド用ロッド
１４．雄ネジ部
１５．コイルバネ
１６．ナット
１７．垂れ板
１８．座金
【図１】
0003205906.tif 000003
【図２】
0003205906.tif 000004
【図３】
0003205906.tif 000005